(57)【要約】【課題】頻繁なメンテナンスを必要とせず、かつ、屋外に配置された場合に強風が吹いてもゴミがダクトの内部へ侵入することを抑制することができるパワーコンディショナーを得ること。【解決手段】パワーコンディショナー１は、筐体２と、筐体２の内部に配置されて直流電力を交流電力に変換する電力変換装置３と、筐体２の内部に配置されて電力変換装置３において発生した熱を筐体２の外部に放出するためのダクト５と、ダクト５の吸気口５１に配置されて吸気口５１を閉じることができる第１の扉６と、ダクト５の排気口５２に配置されて排気口５２を閉じることができる第２の扉７とを有する。【選択図】図１
2018102052.tif 000002
【特許請求の範囲】
【請求項１】
筐体と、
前記筐体の内部に配置されて直流電力を交流電力に変換する電力変換装置と、
前記筐体の内部に配置されて前記電力変換装置において発生した熱を前記筐体の外部に放出するためのダクトと、
前記ダクトの吸気口に配置されて前記吸気口を閉じることができる第１の扉と、
前記ダクトの排気口に配置されて前記排気口を閉じることができる第２の扉と
を備えることを特徴とするパワーコンディショナー。
【請求項２】
前記第１の扉及び前記第２の扉は、前記電力変換装置が動作している場合に開き、前記電力変換装置が停止している場合に閉じる
ことを特徴とする請求項１に記載のパワーコンディショナー。
【請求項３】
前記第１の扉を開閉させる第１のアクチュエータと、
前記第２の扉を開閉させる第２のアクチュエータと
を更に備えることを特徴とする請求項１に記載のパワーコンディショナー。
【請求項４】
前記第１のアクチュエータは、前記第１の扉が完全に閉じた位置と、前記第１の扉が完全に開いた位置と、前記第１の扉が完全に閉じた位置と前記第１の扉が完全に開いた位置との中間の位置とに前記第１の扉を位置させ、
前記第２のアクチュエータは、前記第２の扉が完全に閉じた位置と、前記第２の扉が完全に開いた位置と、前記第２の扉が完全に閉じた位置と前記第２の扉が完全に開いた位置との中間の位置とに前記第２の扉を位置させる
ことを特徴とする請求項３に記載のパワーコンディショナー。
【請求項５】
前記第１の扉を開閉させるための第１の弾性体と、
前記第２の扉を開閉させるための第２の弾性体と
を更に備えることを特徴とする請求項１に記載のパワーコンディショナー。
【請求項６】
前記第１の扉及び前記第２の扉は、あらかじめ設定された力以上の力が前記ダクトの外部から内部の向きに付与された場合に閉じる
ことを特徴とする請求項１から５のいずれか１項に記載のパワーコンディショナー。
【請求項７】
筐体と、
前記筐体の内部に配置されて直流電力を交流電力に変換する電力変換装置と、
前記筐体の内部に配置されて前記電力変換装置において発生した熱を前記筐体の外部に放出するためのダクトと、
前記電力変換装置において発生した熱を前記ダクトの内部に放出する放熱部とを備え、
前記放熱部の一部は、前記筐体の内部であって前記ダクトの外部に位置し、
前記放熱部の残部は、前記ダクトの内部の吸気口と排気口との間に位置し、
前記ダクトは、前記ダクトの内部において、前記吸気口から前記放熱部の残部までの間に位置するラビリンス構造部を有する
ことを特徴とするパワーコンディショナー。
【請求項８】
前記ラビリンス構造部は、前記筐体の一部を構成すると共に着脱可能な筐体構成ドアを含む
ことを特徴とする請求項７に記載のパワーコンディショナー。
【請求項９】
前記ダクトは、前記ラビリンス構造部の経路に位置する吸着剤を更に有する
ことを特徴とする請求項７に記載のパワーコンディショナー。
【請求項１０】
前記ラビリンス構造部の経路の一部は、凹である
ことを特徴とする請求項７に記載のパワーコンディショナー。
【発明の詳細な説明】
【技術分野】
【０００１】
本発明は、直流電力を交流電力に変換する電力変換装置を有するパワーコンディショナーに関する。
【背景技術】
【０００２】
従来、直流電力を交流電力に変換する電力変換装置を有していて屋外に配置されるパワーコンディショナーが提案されている。電力変換装置では熱が発生し、発生した熱はパワーコンディショナーの内部の電気部品を誤動作させたり故障させたりする原因になり得る。そのため、パワーコンディショナーを構成する筐体の内部には、電力変換装置において発生した熱を筐体の外部に放出するためのダクトが配置されている。
【０００３】
ゴミがダクトの外部から内部に侵入すると、電力変換装置において発生した熱が筐体の外部へ排出される効率は低下する。ダクトの吸気口からダクトの内部にゴミが侵入することを防止するために、吸気口に配置される防塵フィルタを有するパワーコンディショナーが提案されている（例えば、特許文献１参照）。ダクトの排気口からダクトの内部にゴミが侵入することを防止するために、経路の後段が屈曲しているダクトを有するパワーコンディショナーも提案されている（例えば、特許文献２参照）。
【先行技術文献】
【特許文献】
【０００４】
【特許文献１】特開２０００−１５２６５５号公報
【特許文献２】特開２００４−５５６８１号公報
【発明の概要】
【発明が解決しようとする課題】
【０００５】
しかしながら、防塵フィルタを有する従来のパワーコンディショナーでは、ゴミが防塵フィルタに詰まり易いので、防塵フィルタを比較的頻繁にメンテナンスしなければならない。経路が屈曲しているダクトを有する従来のパワーコンディショナーでは、パワーコンディショナーが屋外に配置される場合、強風時にはゴミがダクトの排気口からダクトの内部に侵入する。上述の通り、ゴミがダクトの外部から内部に侵入すると、電力変換装置において発生した熱が筐体の外部へ排出される効率は低下する。
【０００６】
本発明は、上記に鑑みてなされたものであって、頻繁なメンテナンスを必要とせず、かつ、屋外に配置された場合に強風が吹いてもゴミがダクトの内部へ侵入することを抑制することができるパワーコンディショナーを得ることを目的とする。
【課題を解決するための手段】
【０００７】
上述した課題を解決し、目的を達成するために、本発明は、筐体と、前記筐体の内部に配置されて直流電力を交流電力に変換する電力変換装置と、前記筐体の内部に配置されて前記電力変換装置において発生した熱を前記筐体の外部に放出するためのダクトと、前記ダクトの吸気口に配置されて前記吸気口を閉じることができる第１の扉と、前記ダクトの排気口に配置されて前記排気口を閉じることができる第２の扉とを有することを特徴とする。
【発明の効果】
【０００８】
本発明は、頻繁なメンテナンスを必要とせず、かつ、屋外に配置された場合に強風が吹いてもゴミがダクトの内部へ侵入することを抑制することができるという効果を奏する。
【図面の簡単な説明】
【０００９】
【図１】実施の形態１にかかるパワーコンディショナーの構成を示す図
【図２】実施の形態１にかかるパワーコンディショナーの第１の扉及び第２の扉が開いた状態を示す図
【図３】実施の形態２にかかるパワーコンディショナーの構成の一部を示す図
【図４】実施の形態２にかかるパワーコンディショナーの第２の扉が開いた状態を示す図
【図５】実施の形態２にかかるパワーコンディショナーが有する機能を説明するための図
【図６】実施の形態２にかかる変形例のパワーコンディショナーの構成の一部を示す図
【図７】実施の形態３にかかるパワーコンディショナーの構成の一部を示す図
【図８】実施の形態３にかかる第１の変形例のパワーコンディショナーの構成の一部を示す図
【図９】実施の形態３にかかる第２の変形例のパワーコンディショナーの構成の一部を示す図
【図１０】実施の形態３にかかる第３の変形例のパワーコンディショナーの構成の一部を示す図
【発明を実施するための形態】
【００１０】
以下に、本発明の実施の形態にかかるパワーコンディショナーを図面に基づいて詳細に説明する。なお、この実施の形態によりこの発明が限定されるものではない。
【００１１】
実施の形態１．
図１は、実施の形態１にかかるパワーコンディショナー１の構成を示す図である。具体的には、図１は、パワーコンディショナー１のひとつの断面を示している。パワーコンディショナー１は、筐体２と、筐体２の内部に配置されて直流電力を交流電力に変換する電力変換装置３とを有する。電力変換装置３では、直流電力が交流電力に変換される際に熱が発生する。パワーコンディショナー１は、電気部品４を更に有する。
【００１２】
パワーコンディショナー１は、筐体２の内部に配置されて電力変換装置３において発生した熱を筐体２の外部に放出するためのダクト５を更に有する。ダクト５の一端側の吸気口５１は、筐体２の外部の空気をダクト５の内部に取り込むための開口である。ダクト５の他端側の排気口５２は、ダクト５の内部の空気を筐体２の外部に排出するための開口である。パワーコンディショナー１が屋外に配置される場合、パワーコンディショナー１は、吸気口５１が鉛直下方に位置して排気口５２が鉛直上方に位置するように配置される。
【００１３】
電力変換装置３及び電気部品４は、筐体２の内部において、ダクト５の外部に配置されている。そのため、仮にゴミが吸気口５１又は排気口５２からダクト５の内部に侵入しても、ゴミは電力変換装置３及び電気部品４を損傷させず、電力変換装置３及び電気部品４は保護される。
【００１４】
パワーコンディショナー１は、ダクト５の吸気口５１に配置されて吸気口５１を閉じることができる第１の扉６と、ダクト５の排気口５２に配置されて排気口５２を閉じることができる第２の扉７とを更に有する。図１は、実施の形態１にかかるパワーコンディショナー１の第１の扉６及び第２の扉７が閉じた状態を示している。図２は、実施の形態１にかかるパワーコンディショナー１の第１の扉６及び第２の扉７が開いた状態を示す図である。
【００１５】
第１の扉６は、板である。図１及び図２に示す通り、第１の扉６は、第１の回動中心６１のまわりに回動し、吸気口５１を閉じることも開くこともできる。第２の扉７は、板である。図１及び図２に示す通り、第２の扉７は、第２の回動中心７１のまわりに回動し、排気口５２を閉じることも開くこともできる。図２において、矢印６ａは、第１の扉６が筐体２の外側の向きに回動することを示しており、矢印７ａは、第２の扉７が筐体２の外側の向きに回動することを示している。
【００１６】
パワーコンディショナー１は、第１の扉６に接続されている第１の駆動部８と、第２の扉７に接続されている第２の駆動部９とを更に有する。第１の駆動部８は、板である。第１の駆動部８のひとつの側面部は、第１の扉６と第１の駆動部８とがひとつの平面に位置しない状態で第１の扉６の回動の中心である第１の回動中心６１に接続されている。更に言うと、第１の駆動部８は、第１の扉６より筐体２の内側寄りに位置している。言い換えると、第１の扉６は、第１の駆動部８より筐体２の外側寄りに位置している。
【００１７】
第２の駆動部９は、板である。第２の駆動部９のひとつの側面部は、第２の扉７と第２の駆動部９とがひとつの平面に位置しない状態で第２の扉７の回動の中心である第２の回動中心７１に接続されている。更に言うと、第２の駆動部９は、第２の扉７より筐体２の内側寄りに位置している。言い換えると、第２の扉７は、第２の駆動部９より筐体２の外側寄りに位置している。
【００１８】
パワーコンディショナー１は、第１の扉６を開閉させる第１のアクチュエータ１０と、第２の扉７を開閉させる第２のアクチュエータ１１とを更に有する。具体的には、第１のアクチュエータ１０は、第１の駆動部８を駆動することにより、第１の扉６を開閉させ、第２のアクチュエータ１１は、第２の駆動部９を駆動することにより、第２の扉７を開閉させる。
【００１９】
パワーコンディショナー１は、第１の駆動部８の動作の範囲を規制する第１の規制部１２と、第２の駆動部９の動作の範囲を規制する第２の規制部１３とを更に有する。第１のアクチュエータ１０は、第１の規制部１２によって規制される範囲内で第１の駆動部８を駆動することにより、第１の扉６を開閉させる。第２のアクチュエータ１１は、第２の規制部１３によって規制される範囲内で第２の駆動部９を駆動することにより、第２の扉７を開閉させる。
【００２０】
第１のアクチュエータ１０は、電力変換装置３が動作している場合に第１の扉６を開かせると共に電力変換装置３が停止している場合に第１の扉６を閉じさせる。第２のアクチュエータ１１は、電力変換装置３が動作している場合に第２の扉７を開かせると共に電力変換装置３が停止している場合に第２の扉７を閉じさせる。つまり、第１の扉６及び第２の扉７は、電力変換装置３が動作している場合に開き、電力変換装置３が停止している場合に閉じる。
【００２１】
第１のアクチュエータ１０は、第１の扉６が完全に閉じた位置と、第１の扉６が完全に開いた位置と、第１の扉６が完全に閉じた位置と第１の扉６が完全に開いた位置との中間の位置とのいずれかに第１の扉６を位置させる。図１は第１の扉６が完全に閉じた状態の一例を示しており、図２は第１の扉６が完全に開いた状態の一例を示している。第２のアクチュエータ１１は、第２の扉７が完全に閉じた位置と、第２の扉７が完全に開いた位置と、第２の扉７が完全に閉じた位置と第２の扉７が完全に開いた位置との中間の位置とのいずれかに第２の扉７を位置させる。図１は第２の扉７が完全に閉じた状態の一例を示しており、図２は第２の扉７が完全に開いた状態の一例を示している。なお、中間の位置は、ひとつの位置であってもよいし、複数の位置のいずれかであってもよい。
【００２２】
パワーコンディショナー１は、電力変換装置３において発生した熱をダクト５の内部に放出する放熱部１４を更に有する。放熱部１４の一部１５は、筐体２の内部において、ダクト５の外部に位置している。放熱部１４の残部１６は、ダクト５の内部の吸気口５１と排気口５２との間に位置している。放熱部１４の残部１６は、例えばフィンである。電力変換装置３及び電気部品４は、例えば熱伝導シート又はグリースを介して放熱部１４の一部１５に接続されている。
【００２３】
パワーコンディショナー１は、ダクト５の内部に位置するファン１７を更に有する。具体的には、ファン１７は、ダクト５の内部において、放熱部１４の残部１６と排気口５２との間に位置している。ファン１７は、筐体２の外部からの空気を吸気口５１からダクト５の内部に取り入れると共に、ダクト５の内部の空気を排気口５２から筐体２の外部に排出するために用いられる。なお、図１では、理解のし易さを考慮して、ファン１７は構造を模式した状態で示されている。
【００２４】
ファン１７により、筐体２の外部からの空気が吸気口５１からダクト５の内部に取り入れられて排気口５２から筐体２の外部に排出される。すなわち、ファン１７により、ダクト５の内部において、空気は吸気口５１から排気口５２の向きに進む。そのため、電力変換装置３において発生した熱は、放熱部１４を介してダクト５に放出され、さらに、筐体２の外部、つまり、パワーコンディショナー１の外部に排出される。
【００２５】
上述の通り、実施の形態１にかかるパワーコンディショナー１は、防塵フィルタを有しないので、頻繁なメンテナンスを必要としない。パワーコンディショナー１は、第１の扉６と第２の扉７とを有する。そのため、パワーコンディショナー１が屋外に配置されて強風が吹いても、パワーコンディショナー１は、第１の扉６及び第２の扉７を閉じることにより、ゴミがダクト５の内部へ侵入することを抑制することができる。すなわち、パワーコンディショナー１は、放熱部１４の残部１６及びファン１７がゴミによって損傷することを抑制することができる。なお、パワーコンディショナー１は防塵フィルタを更に有してもよい。パワーコンディショナー１は第１の扉６及び第２の扉７を有するので、防塵フィルタを頻繁にメンテナンスする必要はない。
【００２６】
実施の形態１では、第１の扉６は、第１の回動中心６１のまわりに回動し、吸気口５１を開閉する。しかしながら、第１の扉６は、スライドすることによって吸気口５１を開閉してもよい。又は、第１の扉６は、折り畳み可能な部位を有し、折り畳み可能な部位が展開されることによって吸気口５１を閉じ、折り畳み可能な部位が折り畳まれることによって吸気口５１を開いてもよい。いずれにしても、第１の扉６は、吸気口５１を開くことと閉じることとを行う。
【００２７】
同様に、第２の扉７は、スライドすることによって排気口５２を開閉してもよい。又は、第２の扉７は、折り畳み可能な部位を有し、折り畳み可能な部位が展開されることによって排気口５２を閉じ、折り畳み可能な部位が折り畳まれることによって排気口５２を開いてもよい。いずれにしても、第２の扉７は、排気口５２を開くことと閉じることとを行う。
【００２８】
実施の形態１では、第１のアクチュエータ１０が第１の扉６を開閉させ、第２のアクチュエータ１１が第２の扉７を開閉させる。しかしながら、第１の扉６は第１のアクチュエータ１０の制御によらずに開閉してもよいし、第２の扉７は第２のアクチュエータ１１の制御によらずに開閉してもよい。いずれにしても、第１の扉６及び第２の扉７は、電力変換装置３が動作している場合に開き、電力変換装置３が停止している場合に閉じる。
【００２９】
第１の扉６及び第２の扉７は、あらかじめ設定された力以上の力がダクト５の外部から内部の向きに付与された場合に閉じてもよい。例えば付与されるあらかじめ設定された力は、強風がもたらす力である。これにより、パワーコンディショナー１は、ゴミが吸気口５１又は排気口５２からダクト５の内部へ侵入することを抑制することができる。その結果、パワーコンディショナー１は、放熱部１４の残部１６及びファン１７がゴミによって損傷することを抑制することができる。
【００３０】
実施の形態１では、第１の扉６及び第２の扉７は板であり、第１の駆動部８及び第２の駆動部９は板である。しかしながら、第１の扉６及び第２の扉７のいずれについても、少なくとも一部が板であってもよい。第１の駆動部８及び第２の駆動部９のいずれについても、少なくとも一部が板であってもよい。
【００３１】
パワーコンディショナー１は、電力変換装置３の温度を検出し、検出された温度があらかじめ決められた温度より高いとき、ファン１７の回転数を上げてダクト５を流れる空気の量を多くすると共に、第１の扉６及び第２の扉７が開く割合を上げてもよい。パワーコンディショナー１は、検出された温度があらかじめ決められた温度より低いとき、ファン１７の回転数を下げてダクト５を流れる空気の量を少なくすると共に、第１の扉６及び第２の扉７が開く割合を下げてもよい。パワーコンディショナー１は、上述の動作を行うことにより、放熱と、ゴミのダクト５の内部への侵入を抑制することとを適切に行うことができる。加えて、パワーコンディショナー１は、ファン１７にかかる消費電力を低減することができる。
【００３２】
パワーコンディショナー１が使用される環境の温度が比較的低い場合、又は、筐体２の内部に配置される電力変換装置３の温度が比較的低い場合、ファン１７は動作を停止してもよい。それにより、ファン１７にかかる消費電力を低減することができる。第１の扉６及び第２の扉７が開く割合は、ゴミのダクト５の内部への侵入を抑制するように制御される。
【００３３】
パワーコンディショナー１が寒冷地で使用されてパワーコンディショナー１が使用される環境の温度が極めて低い場合、第１の扉６及び第２の扉７が開く割合は、筐体２の内部が過冷却となることにより電力変換装置３及び電気部品４に不具合が生じることを防止するように制御される。第１の扉６及び第２の扉７が開く割合を比較的低くすることにより、筐体２の内部に配置される電力変換装置３において発生する熱を使用することができるので、第１の扉６及び第２の扉７が開く割合を比較的低くすることは、筐体２の内部にヒーターを配置する場合に比べて消費電力を低減することができる。
【００３４】
パワーコンディショナー１が屋外に配置される場合、筐体２の外部に、風速を検出する風速センサが設置されてもよい。第１の扉６及び第２の扉７が開く割合は、風速センサによって検出された値をもとに制御されてもよい。例えば、風速センサによって検出された値をもとに算出される気圧であって筐体２の外部の気圧が比較的高く、それにより筐体２の内部を冷却することに悪影響が生じる可能性がある場合、第１の扉６及び第２の扉７が開く割合は比較的低く制御される。
【００３５】
実施の形態２．
図３は、実施の形態２にかかるパワーコンディショナー１Ａの構成の一部を示す図である。具体的には、図３は、排気口５２の部分を含むパワーコンディショナー１Ａの一部のひとつの断面を示している。パワーコンディショナー１Ａは、実施の形態１にかかるパワーコンディショナー１が有するすべての構成要素を有すると共に、第１の弾性体及び第２の弾性体１８を有する。第１の弾性体は第１の扉６を開閉させるためのものであり、第２の弾性体１８は第２の扉７を開閉させるためのものである。なお、第１の弾性体は、図３には示されていない。第１の弾性体及び第２の弾性体１８の一例は、バネである。実施の形態２と実施の形態１との相違点は、実施の形態１にかかるパワーコンディショナー１が第１の弾性体及び第２の弾性体１８を有していないのに対し、実施の形態２にかかるパワーコンディショナー１Ａが第１の弾性体及び第２の弾性体１８を有する点であるので、実施の形態２では、実施の形態１との相違点を主に説明する。
【００３６】
第２の弾性体１８は第２の駆動部９に接続されており、第２の弾性体１８の伸縮は第２のアクチュエータ１１によって制御される。例えば、第２のアクチュエータ１１の位置が変化することにより、第２の弾性体１８の伸縮は制御される。図３は、実施の形態２にかかるパワーコンディショナー１Ａの第２の扉７が閉じた状態を示している。図４は、実施の形態２にかかるパワーコンディショナー１Ａの第２の扉７が開いた状態を示す図である。図３及び図４に示す通り、第２のアクチュエータ１１は、第２の扉７を閉じる場合に第２の駆動部９と協働して第２の弾性体１８に対して第２の弾性体１８の内側の向きに第２の力を加え、第２の扉７を開く場合に第２の力を開放する。このように、第２の弾性体１８の伸縮は第２のアクチュエータ１１によって制御される。
【００３７】
図５は、実施の形態２にかかるパワーコンディショナー１Ａが有する機能を説明するための図である。図５において、矢印７ｂは、第２の扉７が筐体２の内側の向きに回動することを示している。図３、図４及び図５に示す通り、第２の扉７は、第２の駆動部９より筐体２の外側寄りに位置している。そのため、強風８０が筐体２の外部から排気口５２の向きに吹き付けた場合、第２の扉７はダクト５の内部の向きに回動する。すなわち、強風８０が筐体２の外部から排気口５２の向きに吹き付けた場合、第２の扉７は閉じる。これにより、パワーコンディショナー１Ａは、ゴミが排気口５２からダクト５の内部へ侵入することを抑制することができる。その結果、パワーコンディショナー１Ａが屋外に設置されて屋外において強風８０が吹いていても、パワーコンディショナー１Ａは、放熱部１４の残部１６及びファン１７がゴミによって損傷することを抑制することができる。
【００３８】
図３、図４及び図５を用いて実施の形態２の第２の扉７の開閉を説明したが、図示しないが、第１の扉６も、第２の扉７と同様に開閉する。すなわち、第１の弾性体は第２の弾性体１８と同じ機能を有し、図示しないが、第１の弾性体は第１の駆動部８に接続されており、第１の弾性体の伸縮は第１のアクチュエータ１０によって制御される。第１のアクチュエータ１０は、第１の扉６を閉じる場合に第１の駆動部８と協働して第１の弾性体に対して第１の弾性体の内側の向きに第１の力を加え、第１の扉６を開く場合に第１の力を開放する。このように、第１の弾性体の伸縮は第１のアクチュエータ１０によって制御される。
【００３９】
第１の扉６は、第１の駆動部８より筐体２の外側寄りに位置している。そのため、強風が筐体２の外部から吸気口５１の向きに吹き付けた場合、第１の扉６はダクト５の内部の向きに回動する。すなわち、強風が筐体２の外部から吸気口５１の向きに吹き付けた場合、第１の扉６は閉じる。これにより、パワーコンディショナー１Ａは、ゴミが吸気口５１からダクト５の内部へ侵入することを抑制することができる。その結果、パワーコンディショナー１Ａが屋外に設置されて屋外において強風が吹いていても、パワーコンディショナー１Ａは、放熱部１４の残部１６及びファン１７がゴミによって損傷することを抑制することができる。
【００４０】
第１の扉６及び第２の扉７は、あらかじめ設定された力以上の力がダクト５の外部から内部の向きに付与された場合に閉じる。例えば付与されるあらかじめ設定された力は、強風がもたらす力である。これにより、パワーコンディショナー１Ａは、ゴミが吸気口５１又は排気口５２からダクト５の内部へ侵入することを抑制することができる。その結果、パワーコンディショナー１Ａは、放熱部１４の残部１６及びファン１７がゴミによって損傷することを抑制することができる。
【００４１】
例えば台風により、強風が比較的長い時間にわたってパワーコンディショナー１Ａに吹き付ける場合がある。その場合、電力変換装置３が動作していても、第１の扉６及び第２の扉７が閉じる。電力変換装置３が動作している場合に第１の扉６及び第２の扉７が閉じると、電力変換装置３及び電気部品４の一方又は双方が熱によって損傷又は誤動作する可能性がある。そのため、電力変換装置３、電気部品４又は放熱部１４の残部１６の温度をセンサにより検出し、検出された温度をもとに、電力変換装置３及び電気部品４の一方又は双方が損傷又は誤動作する前に、電力変換装置３は動作を停止する。これにより、電力変換装置３及び電気部品４の一方又は双方が損傷又は誤動作することを回避することができる。
【００４２】
図６は、実施の形態２にかかる変形例のパワーコンディショナー１Ｂの構成の一部を示す図である。図６に示す通り、パワーコンディショナー１Ｂは第２のアクチュエータ１１を有しない。パワーコンディショナー１Ｂは、パワーコンディショナー１Ａと同様に、第２の弾性体１８を有する。パワーコンディショナー１Ｂの第２の弾性体１８は、第２の扉７を開閉させるための付勢を、パワーコンディショナー１Ａの第２の弾性体１８が第２の扉７を開閉させるための付勢と逆方向に加える。これにより、ファン１７が筐体２の外部に排出する気体の圧力のみにより、第２の扉７を開かせることができる。
【００４３】
実施の形態３．
図７は、実施の形態３にかかるパワーコンディショナー１Ｃの構成の一部を示す図である。具体的には、図７は、吸気口５１の部分を含むパワーコンディショナー１Ｃの一部のひとつの断面を示している。パワーコンディショナー１Ｃは、実施の形態１にかかるパワーコンディショナー１が有するすべての構成要素を有するが、吸気口５１に第１の扉６は配置されなくてもよいし、排気口５２に第２の扉７は配置されなくてもよい。パワーコンディショナー１Ｃのダクト５は、ダクト５の内部において、吸気口５１から放熱部１４の残部１６までの間に位置するラビリンス構造部１９を有する。実施の形態３と実施の形態１との相違点は、実施の形態１にかかるパワーコンディショナー１のダクト５がラビリンス構造部１９を有していないのに対し、実施の形態３にかかるパワーコンディショナー１Ｃがラビリンス構造部１９を有する点である。なお、上述の通り、吸気口５１に第１の扉６は配置されなくてもよいし、排気口５２に第２の扉７は配置されなくてもよい。
【００４４】
パワーコンディショナー１Ｃがラビリンス構造部１９を有するので、仮に比較的大きいゴミが吸気口５１からダクト５の内部に侵入しても、ゴミはラビリンス構造部１９に留まり、ゴミが放熱部１４の残部１６まで到達することを防ぐことができる。図７に示す通り、ラビリンス構造部１９は、筐体２の一部を構成すると共に着脱可能な筐体構成ドア２０を有する。パワーコンディショナー１Ｃの使用者は、筐体構成ドア２０を筐体２から取り外してラビリンス構造部１９に留まったゴミを取り除くことができる。すなわち、使用者は、パワーコンディショナー１Ｃのダクト５のメンテナンスを比較的容易に行うことができる。
【００４５】
図８は、実施の形態３にかかる第１の変形例のパワーコンディショナー１Ｄの構成の一部を示す図である。図８に示す通り、パワーコンディショナー１Ｄのダクト５は、ラビリンス構造部１９の経路に位置する吸着剤２１を更に有する。具体的には、パワーコンディショナー１Ｄのダクト５は３個の吸着剤２１を有し、１個の吸着剤２１は筐体構成ドア２０に位置する。吸着剤２１により、ゴミをラビリンス構造部１９により確実に留まらせることができる。パワーコンディショナー１Ｄの使用者は、筐体構成ドア２０を筐体２から取り外してラビリンス構造部１９に留まったゴミを取り除くことができる。すなわち、使用者は、パワーコンディショナー１Ｄのダクト５のメンテナンスを比較的容易に行うことができる。
【００４６】
図９は、実施の形態３にかかる第２の変形例のパワーコンディショナー１Ｅの構成の一部を示す図である。図１０は、実施の形態３にかかる第３の変形例のパワーコンディショナー１Ｆの構成の一部を示す図である。図９及び図１０に示す通り、パワーコンディショナー１Ｅ及びパワーコンディショナー１Ｆのラビリンス構造部１９の経路の一部は、凹である。具体的には、パワーコンディショナー１Ｅのラビリンス構造部１９の経路の一部は第１の凹２２であり、パワーコンディショナー１Ｆのラビリンス構造部１９の経路の一部は第２の凹２３である。仮にゴミが吸気口５１からダクト５の内部に侵入しても、ゴミは第１の凹２２又は第２の凹２３に留まる可能性が高い。すなわち、第１の凹２２又は第２の凹２３により、ゴミをラビリンス構造部１９に、より確実に留まらせることができる。パワーコンディショナー１Ｅ及びパワーコンディショナー１Ｆの使用者は、筐体構成ドア２０を筐体２から取り外してラビリンス構造部１９に留まったゴミを取り除くことができる。すなわち、使用者は、パワーコンディショナー１Ｅ及びパワーコンディショナー１Ｆのダクト５のメンテナンスを比較的容易に行うことができる。
【００４７】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００４８】
１，１Ａ，１Ｂ，１Ｃ，１Ｄ，１Ｅ，１Ｆ  パワーコンディショナー、２  筐体、３  電力変換装置、４  電気部品、５  ダクト、６  第１の扉、７  第２の扉、８  第１の駆動部、９  第２の駆動部、１０  第１のアクチュエータ、１１  第２のアクチュエータ、１２  第１の規制部、１３  第２の規制部、１４  放熱部、１５  放熱部の一部、１６  放熱部の残部、１７  ファン、１８  第２の弾性体、１９  ラビリンス構造部、２０  筐体構成ドア、２１  吸着剤、２２  第１の凹、２３  第２の凹、５１  吸気口、５２  排気口、６１  第１の回動中心、７１  第２の回動中心、８０  強風。
【図１】
2018102052.tif 000003
【図２】
2018102052.tif 000004
【図３】
2018102052.tif 000005
【図４】
2018102052.tif 000006
【図５】
2018102052.tif 000007
【図６】
2018102052.tif 000008
【図７】
2018102052.tif 000009
【図８】
2018102052.tif 000010
【図９】
2018102052.tif 000011
【図１０】
2018102052.tif 000012